(57)【特許請求の範囲】
【請求項１】
先端部外周に螺旋状掘削羽根を有する回転捩じ込み杭を、チュービング装置のケーシングチューブ回転装置に備えたチャック装置で把持する方法において、前記チャック装置に設けられた複数のチャック部材の内周面に、チャック部材開放時に、前記掘削羽根がチャック部材を通過することを許容する高さ及び深さを有する凹溝を、前記掘削羽根の螺旋ピッチに対応して螺旋状に連続的に形成し、チャック装置を操作して、前記複数のチャック部材間の内径を前記回転捩じ込み杭の胴体の径よりもやや大径にし、前記掘削羽根を前記凹溝に臨ませた後通過させてチャック部材の下方に位置させ、前記チャック装置を操作して、前記回転捩じ込み杭の胴体を前記複数のチャック部材の内周面で把持することを特徴とする螺旋状掘削羽根を有する回転捩じ込み杭をチュービング装置のチャック装置で把持する方法。
【請求項２】
前記掘削羽根の前記凹溝の通過は、クレーンで吊り上げた前記回転捩じ込み杭を徐々に降下させながら、前記ケーシングチューブ回転装置を回転捩じ込み杭の回転方向とは逆方向に回転させる請求項１の螺旋状掘削羽根を有する回転捩じ込み杭をチュービング装置のチャック装置で把持する方法。
【請求項３】
前記掘削羽根の前記凹溝の通過は、前記回転捩じ込み杭をクレーンで吊り上げた状態で、前記ケーシングチューブ回転装置を回転捩じ込み杭の回転方向とは逆方向に回転させながら昇降用シリンダを操作して上昇させる請求項１の螺旋状掘削羽根を有する回転捩じ込み杭をチュービング装置のチャック装置で把持する方法。
【請求項４】
前記掘削羽根の前記凹溝の通過は、クレーンで吊り上げた前記回転捩じ込み杭を回転させながら徐々に降下させる請求項１の螺旋状掘削羽根を有する回転捩じ込み杭をチュービング装置のチャック装置で把持する方法。
【発明の詳細な説明】
【０００１】
【発明の属する技術分野】
本発明は、土木基礎工事等において、大口径杭を造成するチュービング装置を用いて、螺旋状掘削羽根を先端外周に有する回転捩じ込み杭を建て込み施工するにあたり、該回転捩じ込み杭をチュービング装置のチャック装置で把持する方法に関する。
【０００２】
【従来の技術】
ケーシングチューブ及び大口径鋼管杭を地面に回転圧入するチュービング装置を使用して、ケーシングチューブ及び大口径鋼管杭よりは小径で、先端部外周に螺旋状の掘削羽根を備えた回転捩じ込み杭を地面に回転圧入する施工法がある。この回転捩じ込み杭の建て込み施工法では、回転捩じ込み杭がケーシングチューブ及び大口径鋼管杭に比べて小径であるため、回転捩じ込み杭とケーシングチューブ回転装置のチャック装置との間にチャックカラーを挿入して回転捩じ込み杭を把持する場合と、回転捩じ込み杭専用のチャック装置のチャック部材を用いる場合がある。
【０００３】
ところが、回転捩じ込み杭の胴体径よりも螺旋状の掘削羽根の径がかなり大きいので、回転捩じ込み杭のチュービング装置への装着は、地面に設置したチュービング装置に回転捩じ込み杭を挿入してから、クレーンで吊り上げたチャックカラーをチャック装置に取付ける施工法か、回転捩じ込み杭を地面上に設置しておいて、予めチャックカラーを取付けたチュービング装置、または、回転捩じ込み杭専用のチャック部材を取付けたチュービング装置をクレーンで吊り上げ、回転捩じ込み杭の上部から被せて設置する施工法が採用されていた。
【０００４】
【発明が解決しようとする課題】
前者の施工法では、複数のチャックカラーを回転捩じ込み杭とチャック装置との間に挿入して固定しなければならず、作業行程が非常に面倒であった。また、後者の施工法では、重量のあるチュービング装置を高い位置まで吊り上げるので、能力の大きなクレーンを必要とするとともに、設置作業を慎重に行うため長時間の作業になる。
【０００５】
そこで本発明は、先端外周に掘削羽根を有する回転捩じ込み杭の装着作業行程を簡略にして効率よく施工できる螺旋状掘削羽根を有する回転捩じ込み杭のチャック装置による把持方法を提供することを目的としている。
【０００６】
【課題を解決するための手段】
上記の目的を達成するため、先端部外周に螺旋状掘削羽根を有する回転捩じ込み杭を、チュービング装置のケーシングチューブ回転装置に備えたチャック装置で把持する方法において、本発明は、前記チャック装置に設けられた複数のチャック部材（チャックカラーを含む）の内周面に、チャック部材開放時に、前記掘削羽根がチャック部材を通過することを許容する高さ及び深さを有する凹溝を、前記掘削羽根の螺旋ピッチに対応して螺旋状に連続的に形成し、チャック装置を操作して、前記複数のチャック部材間の内径を前記回転捩じ込み杭の胴体の径よりもやや大径にし、前記掘削羽根を前記凹溝に臨ませた後通過させてチャック部材の下方に位置させ、前記チャック装置を操作して、前記回転捩じ込み杭の胴体を前記複数のチャック部材の内周面で把持することを特徴としている。そして、前記掘削羽根の前記凹溝の通過は、クレーンで吊り上げた前記回転捩じ込み杭を徐々に降下させながら、前記ケーシングチューブ回転装置を回転捩じ込み杭の回転方向とは逆方向に回転させるか、前記回転捩じ込み杭をクレーンで吊り上げた状態で、前記ケーシングチューブ回転装置を回転捩じ込み杭の回転方向とは逆方向に回転させながら昇降用シリンダを操作して上昇させるか、クレーンで吊り上げた前記回転捩じ込み杭を回転させながら徐々に降下させるかの方法がある。
【０００７】
【発明の実施の形態】
以下、本発明方法を、図面に示す実施形態例に基づいて、さらに詳細に説明する。図１は本発明方法を実施する装置の第１形態例を示すもので、チュービング装置１は、ベースフレーム２の上部に配設した昇降フレーム３を、ベースフレーム２に立設した昇降用シリンダ４にて昇降可能に支持し、前記昇降フレーム３に、ケーシングチューブ回転装置５を設けている。このケーシングチューブ回転装置５は、昇降フレーム３に回転可能に設けられたリング状の回転体６と、該回転体６を回転する回転駆動装置７とを有している。
【０００８】
また、ケーシングチューブ回転装置５は、チャック装置８を有している。このチャック装置８は、前記昇降フレーム３に立設されたチャックシリンダ９と、該チャックシリンダ９に昇降可能に支持された支持フレーム１０と、該支持フレーム１０に回転可能に支持されたリング状の上部フレーム１１と、該上部フレーム１１に吊持された複数の楔状のチャック部材１２とで構成され、チャックシリンダ９を伸縮して支持フレーム１０を昇降させると、各チャック部材１２が前記回転体６の傾斜内面に沿って上下に移動して、各チャック部材１２間の内径を拡縮する。
【０００９】
本形態例では、前記各チャック部材１２にて回転捩じ込み杭１３を直接把持するものではなく、チャックカラー１４を介して間接的に把持する。このため、前記各チャック部材１２に、チャックカラー１４をそれぞれ取付けて、これにより回転捩じ込み杭１３を把持する構成である。前記回転捩じ込み杭１３は、胴体１３ａの径よりも大径に形成された螺旋状の掘削羽根１３ｂを先端部外周に備えている。前記各チャック部材１２の内周面、本形態例では、各チャックカラー１４の内周面に、前記掘削羽根１３ｂの螺旋ピッチに対応する凹溝１４ａをそれぞれ形成している。各チャックカラー１４の凹溝１４ａは、掘削羽根１３ｂに対応した高さ及び深さに形成され、各チャックカラー１４が各チャック部材１２に取付けられた状態で、螺旋状に連続するよう形成されている。
【００１０】
図２は本発明方法を実施する装置の第２形態例を示すもので、本形態例において前記第１形態例と同一要素のものには同一の符号を付してその説明を省略する。本形態例では、回転捩じ込み杭１３は、専用の各チャック部材２０にて胴体１３ａを直接把持する構成である。このため、上部フレーム１１に吊持された複数のチャック部材２０の内周面に、前記凹溝１４ａと同様に、前記掘削羽根１３ｂの螺旋ピッチに対応する凹溝２０ａをそれぞれ形成しており、各チャック部材２０の凹溝２０ａは、掘削羽根１３ｂに対応した高さ及び深さに形成され、かつ、各チャック部材２０が前記上部フレーム１１に吊持された状態で、螺旋状に連続するよう形成されている。
【００１１】
次に、第１・第２形態例のように構成したチュービング装置１を用いて、螺旋状の掘削羽根１３ｂを先端外周に有する回転捩じ込み杭１３を建て込む方法の実施例を説明すると、チュービング装置１を設置し、チャックシリンダ９を操作して伸ばし、複数のチャック部材２０（チャックカラー１４を含む）間の内径を回転捩じ込み杭１３の胴体１３ａの径よりもやや大径にし、回転捩じ込み杭１３をクレーン（図示せず）で吊り上げて掘削羽根１３ｂを凹溝２０ａ（１４ａ）に臨ませた後通過させる。この掘削羽根１３ｂの凹溝２０ａ（１４ａ）の通過の方法としては、クレーンで吊り上げた回転捩じ込み杭１３を徐々に降下させながら、ケーシングチューブ回転装置５を回転捩じ込み杭１３の回転方向とは逆方向に回転させるか、回転捩じ込み杭１３をクレーンで吊り上げた状態で、ケーシングチューブ回転装置５を回転捩じ込み杭１３の回転方向とは逆方向に回転させながら昇降用シリンダ４を操作して上昇させるか、クレーンで吊り上げた回転捩じ込み杭１３を回転させながら徐々に降下させるかによって達成できる。
【００１２】
これにより、掘削羽根１３ｂをチャック部材２０（チャックカラー１４）の下方に位置させることができる。そして、チャックシリンダ９を操作して縮め、回転捩じ込み杭１３の胴体１３ａを複数のチャック部材２０（チャックカラー１４）の内周面で把持する。そして、ケーシングチューブ回転装置５を回転させることにより、回転捩じ込み杭１３を建て込むことができる。この場合、ケーシングチューブ回転装置５を回転させながら、昇降用シリンダ４を縮めることにより、回転捩じ込み杭１３は地面に回転圧入される。
【００１３】
なお、上記第１形態例では、楔状のチャック部材１２にそれぞれチャックカラー１４を取付ける構成で説明したが、バンド式チャックに取付けるチャックカラーにも本発明は適用可能である。
【００１４】
【発明の効果】
以上説明したように、本発明方法は、チュービング装置のチャック部材（チャックカラー）の内周面に、回転捩じ込み杭の螺旋状掘削羽根の螺旋ピッチに対応する凹溝を形成したので、掘削羽根は、ケーシングチューブ回転装置の回転又は回転捩じ込み杭の回転により凹溝を通過してチャック部材（チャックカラー）の下方へ位置するから、回転捩じ込み杭をチャック部材（チャックカラー）によって容易に把持してチュービング装置に装着でき、螺旋状の掘削羽根を先端に有する回転捩じ込み杭の建て込み作業行程が簡略になり効率のよい施工ができる。
【図面の簡単な説明】
【図１】  本発明方法を説明する第１形態例を示すチュービング装置の断面図である。
【図２】  同じく第２形態例を示すチュービング装置の断面図である。
【符号の説明】
１…チュービング装置、５…ケーシングチューブ回転装置、８…チャック装置、１３…回転捩じ込み杭、１３ａ…胴体、１３ｂ…回転捩じ込み杭１３の掘削羽根、１４…チャックカラー、１４ａ，２０ａ…凹溝、２０…チャック部材
【図１】
0003828460.tif 000002
【図２】
0003828460.tif 000003